(57)【要約】【課題】  開閉式miniＳＤメモリーカードコネクタを提供する。【解決手段】  絶縁本体２０と、可動蓋３０と、１１本の挿入接続端子４０とによって構成され、可動蓋３０は引き出し式の空間を有し、miniＳＤメモリーカード６０を如何なる角度からも挿入でき、挿入後、前記可動蓋３０の左右側部に設けられたストッパー板がminiＳＤメモリーカード６０の信号接触部６１両側のガイドレール６３上部に跨り、カード６０を正確に可動蓋３０内に挿入でき、開閉式のカードコネクタ１０は操作空間が小さく、マルチメディア携帯、デジタルカメラ、ＭＰ３プレーヤー、レコーダー、ナビゲーションシステム等に応用され、さらにminiＳＤメモリーカードコネクタ１０は検査測定装置を増設し、使用時にカード６０が正確に挿入され、また挿入されたカード６０が正常に使用できる状態にあるかどうかの検査測定を行う。【選択図】  図９
2005209611.tif 000002
【特許請求の範囲】
【請求項１】
絶縁本体と、可動蓋と、若干の挿入接続端子とを備える開閉式miniＳＤメモリーカードコネクタにおいて、
前記絶縁本体は、板状の基板を有しており、前記基板のメサ上には挿入接続端子を嵌設するための溝が設けられており、前記基板の後側には３つのお互いに軸棒が連接されているベースが上向きに突出しており、
前記可動蓋は、蓋板を有しており、その左右両側は非対称の構造を呈しており、前記蓋板の左右両側の上段にはそれぞれＬ字形の折板が設けられており、それらが前記蓋板の引き出し式空間を構成しており、前記蓋板の左右両側の中段にはそれぞれ下向きにストッパー板が設けられているが、その中の１つのストッパー板の成形位置は比較的前記蓋板の板面内に入り込んでおり、前記蓋板の下端は前記絶縁本体の軸棒の位置に対応しており、２枚の環状の掛合部が設けられており、前記絶縁本体の軸棒上に掛合されており、
前記若干の挿入接続端子は、前記絶縁本体の基板のメサ上に挿入固定されており、それぞれの挿入接続端子の接脚部は外部に突出している
ことを特徴とする開閉式miniＳＤメモリーカードコネクタ。
【請求項２】
前記絶縁本体の左右両側のベースからは、それぞれ前向きに厚さの異なる舌板が突出しており、それぞれの舌板の底面前端には下向きに鼻状突起が突出しており、前記可動蓋の蓋板の左右両側の下段には、それぞれ下向きにＬ字形の掛合板が設けられていることを特徴とする請求項１に記載の開閉式miniＳＤメモリーカードコネクタ。
【請求項３】
前記可動蓋の掛合板における水平の板片の板面上には突起が設けられており、対応する絶縁本体の鼻状突起と共に掛合構造を構成していることを特徴とする請求項２に記載の開閉式miniＳＤメモリーカードコネクタ。
【請求項４】
前記可動蓋が有する引き出し式空間を構成するＬ字形の折板には、水平の板面上に上向きにやや湾曲した圧板が設けられていることを特徴とする請求項１または２に記載の開閉式miniＳＤメモリーカードコネクタ。
【請求項５】
前記絶縁本体の基板の左右上段側部は切欠部を有することを特徴とする請求項１から４のいずれか１つに記載の開閉式miniＳＤメモリーカードコネクタ。
【請求項６】
前記絶縁本体の左右両側のベース上にはそれぞれ挿設溝が設けられており、掛合片がその内部に挿設されることを特徴とする請求項１から４のいずれか１つに記載の開閉式miniＳＤメモリーカードコネクタ。
【請求項７】
前記可動蓋の蓋板における左右両側の下段にはそれぞれ下向きにストッパー板が設けられていることを特徴とする請求項１から４のいずれか１つに記載の開閉式miniＳＤメモリーカードコネクタ。
【請求項８】
前記可動蓋の蓋板における左右両側に設けられているストッパー板と掛合板は一体に連設されていることを特徴とする請求項１から７のいずれか１つに記載の開閉式miniＳＤメモリーカードコネクタ。
【請求項９】
さらに、前記絶縁本体の基板のメサ上には検査測定端子が設けられており、前記検査測定端子は湾曲部と、電気接触部と、接脚部とを有しており、前記湾曲部は隆起状を呈しており、前記基板のメサから突出して弾性を有しており、前記接脚部は絶縁本体の基板外部に突出しており、前記電気接触部は直立板であり、前記湾曲部前端の側部辺縁と接続されていることを特徴とする請求項１から８のいずれか１つに記載の開閉式miniＳＤメモリーカードコネクタ。
【発明の詳細な説明】
【技術分野】
【０００１】
本発明は、開閉式メモリーカードコネクタに係り、特に、miniＳＤメモリーカード専用のコネクタに関わる。
【背景技術】
【０００２】
図１は現在市場に提供されている超小型のフラッシュメモリーカードの構造図である。このサイズ規格が３２ｍｍ×２４ｍｍ×２．１ｍｍのフラッシュメモリーカードは、従来のＳＤカードを更に小型化したminiＳＤメモリーカードとも呼ばれ、新しいデザインの超小型のＳＤメモリーカード（mini secure digital card）であり、サイズ規格は２０ｍｍ×２１．５ｍｍ×１．４ｍｍ(幅×奥行き×高さ)であり、面積はおよそ親指の面積の半分であり、現在の所、メモリー容量は２５６MB以上であり、大まかな構造を述べると、底面に信号線が設けられている信号接触部を有しており、前記信号接触部の両側にはガイドレールが形成されており、さらに楔形面である切欠口を有しており、以上の構造を利用することによりminiＳＤメモリーカードには隙間ができない構造が構成されている(例えば、特許文献１)。
【０００３】
この種のminiＳＤメモリーカードは９本の信号線を有しサイズ規格が３２ｍｍ×２４ｍｍ×２．１ｍｍであるが、このminiＳＤメモリーカードと一般標準のＳＤメモリーカードとを比較してみた時、サイズ規格の上で確実に大幅に縮小されており、従って、ＳＤメモリーカードのプリント電気回路板の面積を少なくとも４０％以上節約することができ、携帯型装置（portable device）に設計、および使用される時に必要な設置体積も相対して減少させることができ、ＳＤメモリーカード設置体積を少なくとも６０％以上節約することができ、さらにminiＳＤメモリーカードの増設されている２本の信号線は未来における性能拡大時のために使用されるものであり、例えば、非接触型ＩＣ等の近距離無線通信のアンテナ接続等に使用される。
【０００４】
このデザインのminiＳＤメモリーカードは小さく精巧で、面積と体積を大幅に節約することができるので、携帯電話等のハンドタイプの電子製品への研究開発応用に適用しており、特に携帯電話の大容量データの保存に適用しており、さらに、使用されているＳＤインターフェースはＳＤメモリーカードで使用されているＳＤインターフェースと同一のものであり、ハードの方面においても、ソフトの方面においても相容れることができ、そのためにアメリカＳＤアソシエーションはすでにminiＳＤメモリーカードの標準を公に認可し、ＳＤメモリーカードの標準延長と定めた。
【０００５】
携帯電話がminiＳＤメモリーカードを使用してデータの保存を始めてから、新しいデザインの携帯電話は記憶容量が増大しただけではなく、例えばデジタルカメラ、ビデオキャプチャリング、ＭＰ３再生、テレビゲーム、ＰＩＭ、Ｅメール、ボイスメール、インターネット通信等の人々を興奮させる様々なマルチメディア機能を提供することができ、さらに軽く、薄く、小型であり、携帯電話の軽量薄型化の市場要求を満たすものである。
【特許文献１】実用新案登録３１００３９３号公報
【発明の開示】
【発明が解決しようとする課題】
【０００６】
以上のことを鑑み、本発明の課題は、未来においてminiＳＤメモリーカードが幅広く使用される流れを迎え入れるために、特にminiＳＤメモリーカードの規格標準に従い、miniＳＤメモリーカード専用のコネクタを提供するものである。
【０００７】
本発明の主な目的は、開閉式miniＳＤメモリーカードコネクタを提供することであり、miniＳＤメモリーカードを使用することができ、大幅にminiＳＤメモリーカードを接続する時に必要な操作空間を節約することができ、マルチメディア携帯電話、デジタルカメラ、ＭＰ３プレーヤー、レコーダー、ナビゲーションシステム等に広く応用することができ、これらの設備はminiＳＤメモリーカードによってデータの保存ができる。
【０００８】
本発明の次の目的は、絶縁本体、可動蓋、１１本の挿入接続端子によって構成されており、前記可動蓋は引き出し式の空間を有しており、miniＳＤメモリーカードは如何なる角度からも挿入することができるようになっており、大幅にminiＳＤメモリーカードの操作空間を減少させることができ、可動蓋を下向きに閉じ、絶縁本体からの押圧を受ける時、miniＳＤメモリーカードの信号接触部はコネクタの挿入接続端子と良好な電気接続を構成する開閉式miniＳＤメモリーカードコネクタを提供することである。
【０００９】
本発明のさらにもう１つの目的は、前記コネクタの可動蓋の左右両側はminiＳＤメモリーカードの規格標準に基づき、非対称の構造を構成しており、miniＳＤメモリーカードの信号接触部の挿入方向を間違えないようになっており、同時に、miniＳＤメモリーカードを前記可動蓋の引き出し式の空間に挿入した後、前記可動蓋は左右両側に設置されているストッパー板を利用し、miniＳＤメモリーカードの接触部両側のガイドレール上方に跨り、miniＳＤメモリーカードを正確に可動蓋内に導入することができる開閉式miniＳＤメモリーカードコネクタを提供することである。
【００１０】
本発明のさらにもう１つの目的は、さらに検査測定装置を増設することができ、使用時、前記コネクタにminiＳＤメモリーカードが挿入されているかどうか、また挿入されたminiＳＤメモリーカードが正常に使用できる状態かどうかの検査測定と確認を行い、miniＳＤメモリーカードが挿入されていない時は、前記コネクタの検査測定装置は電気接続が構成されないことにより前記コネクタにminiＳＤメモリーカードが挿入されていないことを表示することができ、miniＳＤメモリーカードを正確に前記コネクタの可動蓋に挿入し、前記可動蓋が前記コネクタの正確な位置に閉じられた時は、前記コネクタの検査測定装置は電気接続が構成され、それにより前記コネクタにminiＳＤメモリーカードが正確に挿入され、正常に使用できる状態であることを表示することができる開閉式miniＳＤメモリーカードコネクタを提供することである。
【課題を解決するための手段】
【００１１】
前記課題を解決するために、請求項１の発明は、絶縁本体と、可動蓋と、若干の挿入接続端子とを備える開閉式のサイズ規格が３２ｍｍ×２４ｍｍ×２．１ｍｍのフラッシュメモリーであるminiＳＤメモリーカードのコネクタにおいて、前記絶縁本体は、板状の基板を有しており、前記基板のメサ上には挿入接続端子を嵌設するための溝が設けられており、前記基板の後側には３つのお互いに軸棒が連接されているベースが上向きに突出しており、
前記可動蓋は、蓋板を有しており、その左右両側は非対称の構造を呈しており、前記蓋板の左右両側の上段にはそれぞれＬ字形の折板が設けられており、それらが前記蓋板の引き出し式空間を構成しており、前記蓋板の左右両側の中段にはそれぞれ下向きにストッパー板が設けられているが、その中の１つのストッパー板の成形位置は比較的前記蓋板の板面内に入り込んでおり、前記蓋板の下端は前記絶縁本体の軸棒の位置に対応しており、２枚の環状の掛合部が設けられており、前記絶縁本体の軸棒上に掛合されており、前記若干の挿入接続端子は、前記絶縁本体の基板のメサ上に挿入固定されており、それぞれの挿入接続端子の接脚部は外部に突出していることを特徴とする開閉式miniＳＤメモリーカードコネクタである。
【００１２】
請求項２の発明は、前記絶縁本体の左右両側のベースからは、それぞれ前向きに厚さの異なる舌板が突出しており、それぞれの舌板の底面前端には下向きに鼻状突起が突出しており、前記可動蓋の蓋板の左右両側の下段には、それぞれ下向きにＬ字形の掛合板が設けられていることを特徴とする請求項１に記載の開閉式miniＳＤメモリーカードコネクタである。
【００１３】
請求項３の発明は、前記可動蓋の掛合板における水平の板片の板面上には突起が設けられており、対応する絶縁本体の鼻状突起と共に掛合構造を構成していることを特徴とする請求項２に記載の開閉式miniＳＤメモリーカードコネクタである。
【００１４】
請求項４の発明は、前記可動蓋が有する引き出し式空間を構成するＬ字形の折板には、水平の板面上に上向きにやや湾曲した圧板が設けられていることを特徴とする請求項１または２に記載の開閉式miniＳＤメモリーカードコネクタである。
【００１５】
請求項５の発明は、前記絶縁本体の基板の左右上段側部は切欠部を有することを特徴とする請求項１から４のいずれか１つに記載の開閉式miniＳＤメモリーカードコネクタである。
【００１６】
請求項６の発明は、前記絶縁本体の左右両側のベース上にはそれぞれ挿設溝が設けられており、掛合片がその内部に挿設されることを特徴とする請求項１から４のいずれか１つに記載の開閉式miniＳＤメモリーカードコネクタである。
【００１７】
請求項７の発明は、前記可動蓋の蓋板における左右両側の下段にはそれぞれ下向きにストッパー板が設けられていることを特徴とする請求項１から４のいずれか１つに記載の開閉式miniＳＤメモリーカードコネクタである。
【００１８】
請求項８の発明は、前記可動蓋の蓋板における左右両側に設けられているストッパー板と掛合板は一体に連設されていることを特徴とする請求項１から７のいずれか１つに記載の開閉式miniＳＤメモリーカードコネクタである。
【００１９】
請求項９の発明は、さらに前記絶縁本体の基板のメサ上には検査測定端子が設けられており、前記検査測定端子は湾曲部と、電気接触部と、接脚部とを有しており、前記湾曲部は隆起状を呈しており、前記基板のメサから突出して弾性を有しており、前記接脚部は絶縁本体の基板外部に突出しており、前記電気接触部は直立板であり、前記湾曲部前端の側部辺縁と接続されていることを特徴とする請求項１から８のいずれか１つに記載の開閉式miniＳＤメモリーカードコネクタである。
【発明の効果】
【００２０】
本発明によれば、miniＳＤメモリーカードを正確に挿入でき、正確な位置において固定することができ、良好な電気接続を構成することができ、さらに検査測定装置を増設し、使用時、miniＳＤメモリーカードコネクタにminiＳＤメモリーカードが正確に挿入され、また挿入されたminiＳＤメモリーカードが正常に使用できる状態にあるかどうかの検査測定を行うことができるminiＳＤメモリーカードコネクタが得られる。
【発明を実施するための最良の形態】
【００２１】
本発明の好適な実施例を図面に沿って説明する。図２、３、４、５に示すように、本発明のminiＳＤメモリーカードコネクタ１０は、少なくとも、絶縁本体２０と、引き出し機能を持ち、miniＳＤメモリーカード６０を収容する可動蓋３０と、１１本の挿入接続端子４０とによって構成されている。
【００２２】
前記絶縁本体２０は、前方に伸出している扁平状の基板２１を有しており、図３に示すように、前記基板２１のメサ(テーブル、平板)上には１１本の溝２２が設けられており、１１本の挿入接続端子４０を嵌設するのに用いられており、前記基板２１のメサの左右側部前部には切欠口２３が形成されており、その目的は可動蓋３０を閉じた後、図７、８に示すように、可動蓋３０の左右両側の引き出し機能を有する逆Ｌ字形の右側折板３２と左側折板３３が前記絶縁本体２０の基板２１のメサの外部にぶつからないようにし、さらに前記基板２１の切欠口２３の空間内で前後に移動できるようにすることであり、即ち、図式に示す方向を基準として可動蓋３０を前に押し入れたり、後に引き出したりすることができる。
【００２３】
さらに、１１本の挿入接続端子４０を前記絶縁本体２０の基板２１のメサ上に固定した後、それぞれの挿入接続端子４０の前部の湾曲部分４１は前記基板２１のメサから突出しており、弾性を有しており、それぞれの挿入接続端子４０の後部の接脚部４２は図２に示すように外部に露出しており、本発明の実施例のminiＳＤメモリーカードコネクタ１０を使用する時、電気回路板に半田固定することができる。可動蓋３０にminiＳＤメモリーカードを挿入して蓋を閉じた後、図５、６に示すように、前記miniＳＤメモリーカード６０の信号接触部６１の１１本の信号線は前記絶縁本体２０の１１本の挿入接続端子４０と良好な電気接続を構成する。
【００２４】
さらに、前記絶縁本体２０の基板２１の後側部には、図式に示す方向を基準として、距離を隔てた方式で、それぞれ上向きに局部的に高くなっている左側ベース２４、右側ベース２５、中間ベース２６が設けられており、前記左側ベース２４と前記中間ベース２６の間、および前記右側ベース２５と前記中間ベース２６の間にはそれぞれ同軸心である軸棒２７が連設されており、前記２本の軸棒２７を支点として、可動蓋３０を上向きに開けたり、下向きに閉めたりすることができ、蓋を閉じた後、前後直線方向に僅かに移動させることができる。
【００２５】
左側ベース２４の外側には前方向に舌板２４ａが突出しており、前記舌板２４ａの前端からはさらに下向きに鼻状突起２４ｂが突出しており、前記右側ベース２５の外側は左側ベース２４の外側と同様の構造になっており、前方向に舌板２５ａが突出しており、前記舌板２５ａの底面前端からはさらに下向きに鼻状突起２５ｂが突出しているが、miniＳＤメモリーカードの左右両側は非対称の設計になっているために、本発明の可動蓋３０もそれに対応させるために左右両側が非対称の設計になっており、それにより、前記可動蓋３０の構造設計に対応させるために、本発明の絶縁本体２０の右側ベース２５の舌板２５ａの厚さは左側ベース２４の舌板２４ａよりも厚くする必要がある。
【００２６】
図３、４に示すように、前記可動蓋３０は蓋板３１を有しており、さらに前記蓋板３１の左右両側の上段にはそれぞれＬ字形の折板が設けられており、即ち、前記可動蓋３０の左右両側はそれぞれＬ字形の右側折板３２と左側折板を有しているが、前記右側折板３２と左側折板３３の水平板片はそれぞれ可動蓋３０の内側を向いており、前記右側折板３２の内部空間３２ａおよび左側折板３３の内部空間３３ａによって引き出し機能を有する空間３２ａが構成されており、そこにminiＳＤメモリーカード６０が挿入、収容され、同時に前記右側折板３２、或いは、左側折板３３の底板上には、図に示す前記右側折板３２を例として説明すると、成形技術によって、底板上に圧板３２ｂが形成されており、さらに前記右側折板３２の内部空間３２ａに向かって上向きにやや湾曲しており、それによって弾性を有しており、そのためにminiＳＤメモリーカード６０を前記可動蓋３０に入れた時、前記圧板３２ｂを利用してminiＳＤメモリーカード６０に対して適度な圧迫を生成することができ、miniＳＤメモリーカード６０の表面を可動蓋３０の蓋板３１板面と貼合させることができ、前記可動蓋３０内部に問題なく挿入することができる。
【００２７】
前記可動蓋３０の蓋板３１の左右両側中段からはそれぞれ下向きに右側ストッパー板３４と左側ストッパー板３５が突出しているが、前記右側ストッパー板３４が成形される位置は前記左側ストッパー板３５の位置と比較して、図７、８に示すように比較的可動蓋３０の蓋板３１内に進入しており、左右両側は非対称構造になっている。
【００２８】
即ち、図１に示すminiＳＤメモリーカード６０は、その信号接触部６１の両側にガイドレール６３が設けられている他に、片側のガイドレール６３の上縁は隙間ができないようにする構造にする必要があるために、楔形面６２を有する切欠口と左右両側が非対称の構造になっており、そのために前記可動蓋３０の右側ストッパー板３４および左側ストッパー板３５の設計位置、および成形される高さはminiＳＤメモリーカード６０の規格標準に対応させる必要があり、左右両側が非対称である構造になっている。
【００２９】
これにより、図６、７、８に示すように、miniＳＤメモリーカード６０を可動蓋３０の引き出し式空間に挿入した後、本発明の可動蓋３０の右側ストッパー板３４および左側ストッパー板３５はちょうどminiＳＤメモリーカード６０両側のガイドレール部６３上方に跨り、miniＳＤメモリーカード６０を正確に可動蓋３０内に導入させる機能を有し、さらに、右側ストッパー板３４の位置を利用し、miniＳＤメモリーカード６０の隙間ができないようにする構造と合わせることにより、使用者はminiＳＤメモリーカード６０を入れる位置が正しいかどうかの確認をすることができ、miniＳＤメモリーカード６０の左右両側は非対称の構造をしているので、miniＳＤメモリーカード６０の表と裏を逆にして可動蓋３０の引き出し式空間に挿入した場合、その信号接触部６１の前端が右側ストッパー板３４にぶつかり、さらに挿入することができない。逆に、miniＳＤメモリーカード６０を正確に可動蓋３０の引き出し式空間に入れた場合、可動蓋３０の右側ストッパー板３４および左側ストッパー板３５の導入を受け、継続して前記右側ストッパー板３４がminiＳＤメモリーカード６０の楔形面６２に接触するまで可動蓋３０内部に進入させることができ、この時、前記miniＳＤメモリーカード６０は正確な位置に固定されたことを表すのである。
【００３０】
可動蓋３０の蓋板３１の下端の絶縁本体２０に属する２本の軸棒２７に対応する位置からは２つの環状の掛合部３８が突出しており、図３に示すように、前記掛合部３８は掛合空間３８ａを有しており、円弧状の部分と直線の線状の部分を有しており、可動蓋３０の掛合部３８の円弧状の部分が絶縁本体２０の軸棒２７部分に接触している時、前記可動蓋３０は１８０度の旋回動作を行うことができ、蓋の開閉とminiＳＤメモリーカード６０の如何なる角度からの挿入を行うことができ、前記掛合部の直線の線状部分は前記可動蓋３０が直線方向に移動することができる溝を構成する。
【００３１】
このため、図５、６、７に示すように、可動蓋３０にminiＳＤメモリーカード６０を挿入し、一緒に下向きに閉じた後、前記miniＳＤメモリーカード６０の信号接触部６１の背面は前記絶縁本体２０の挿入接続端子４０と接触し、良好な電気接続が構成される。この際、可動蓋３０を固定するために、可動蓋３０の蓋板３１の左右両側下段にはそれぞれ下向きにＬ字形の右側掛合板３６および左側掛合板３７が設けられているが、前記右側掛合板３６および左側掛合板３７の水平板片はそれぞれ可動蓋３０の外側を向いており、さらに水平板片の板面上には突起３６ａが設けられており、図７、８に示すように、可動蓋３０とminiＳＤメモリーカード６０を一緒に下向きに閉じた後、さらに可動蓋３０とminiＳＤメモリーカード６０を一緒に前に押し出し、可動蓋３０の右側掛合板３６の突起３６ａは絶縁本体２０の右側ベース２５の鼻状突起２５ｂ内に嵌入され、可動蓋３０の左側掛合板３７の突起も同様に絶縁本体２０の左側ベース２４の鼻状突起２４ｂ内に嵌入され、可動蓋３０は絶縁本体２０の右側ベース２５と左側ベース２４の掛止を受け、上向きに起き上がることはなく、miniＳＤメモリーカード６０の信号接触部６１と絶縁本体２０の挿入接続端子４０は良好な電気接触を構成する。
【００３２】
miniＳＤメモリーカード６０を取り出す時は反対の操作を行えばよく、先ず可動蓋３０とminiＳＤメモリーカード６０を一緒に後に引き出した後、可動蓋３０を絶縁本体２０の右側ベース２５と左側ベース２４の掛止から開放し、上向きに起こしてminiＳＤメモリーカード６０を取り出す。
【００３３】
この他、図３に示すように、前記絶縁本体２０の右側ベース２５上面には挿設溝２５ｃが設けられており、前記左側ベース上面にも挿設溝２４ｃが設けられており、それぞれその中に掛合片が設置されている。miniＳＤメモリーカードコネクタ１０を使用する時、挿入接続端子４０の後部接脚部４２および絶縁本体２０左右両側の掛合片５０を利用して、一緒に電気回路板上に半田固定した後、miniＳＤメモリーカードコネクタ１０は電気回路板上に固定される。
【００３４】
第１実施例と関係するその他の実施例。
【００３５】
本発明の応用範囲は前述の第１実施例に限られたものではなく、本発明の発明目的と達成可能な効果が同等または均等なもの、或いは本発明の変形または改良に属するが、この技術に熟知する者が本発明の内容を運用し、容易に完成できるものは全て本発明の範囲に含まれる。
【００３６】
例えば、図７、８に示すように、第１実施例に示す可動蓋３０は蓋板３１の左右両側の中段に位置し、それぞれ下向きに右側ストッパー板３４と左側ストッパー板３５が設けられており、miniＳＤメモリーカード６０を導き、正確に可動蓋３０の引き出し式空間に挿入させることができるが、本発明の右側ストッパー板３４と左側ストッパー板３５は必ず前記蓋板３１の左右両側の中段に設置しなければ本発明が実施できないと制限されているわけではなく、図１２に示すように、同等の効果を達成するために、右側ストッパー板３４と左側ストッパー板３５を前記蓋板３６の左右両側の下段に設置し、蓋板３１の左右両側に設けられている右側掛合板３６と左側掛合板３７の下方に設置したり、或いは、蓋板３１の左右両側に設けられている右側掛合板３６および左側掛合板３７と一体に設計したりしても同様に本発明を実施することができる。
【００３７】
また、例えば第１実施例において示している蓋板３１の右側掛合板３６を突起３６ａを有さない構造にしても同様に本発明を実施することができる。
【００３８】
同様の状況により、可動蓋３０の左右両側が非対称の設計の各種形態の変化に合わせるため、即ち、可動蓋３０の左右両側に設計されている右側掛合板３６と左側掛合板３７の位置および形状の変化に合わせるために、第１実施例において示している絶縁本体２０の基板２１を、お互いに対応させ、使用することができる輪郭および形状に設計しても同様に本発明を実施することができる。
【００３９】
例えば、第１実施例において示している可動蓋３０を図１２に示す形状構造に設計した時、第１実施例において示している絶縁本体２０は基板２１の後側の左側ベース２４と右側ベース２５からそれぞれ前方に厚さが異なり、長さが異なる舌板２４ａと舌板２５ａが伸びており、可動蓋３０は正常な固定位置の下、絶縁本体２０の舌板２４ａと舌板２５ｂの押圧を受け、起き上がることはなく、言い換えると、この種の技術を熟知する者は容易に完成させることができ、本発明の構成と同等、或いは均等なこれらの構造変化は全て本発明を実施することができる。
【００４０】
図５、６、７、８に示すように、本発明の実施例のminiＳＤメモリーカードコネクタ１０は、携帯電話のプリント基板上に半田固定され、携帯電話はminiＳＤメモリーカード６０によってデータの保存をすることができる。
【００４１】
使用時、図２に示すように、先ずminiＳＤメモリーカードコネクタ１０の可動蓋３０を起こし、次に好きな角度でminiＳＤメモリーカード６０をminiＳＤメモリーカード６０の楔形面６２が可動蓋３０の右側ストッパー板３４に当るまで可動蓋３０の引き出し式空間に挿入し、この時、下向きに可動蓋３０を閉じ、miniＳＤメモリーカード６０の信号接触部６１と絶縁本体２０の挿入接続端子４０は電気接触を構成する。
【００４２】
その後、可動蓋３０とminiＳＤメモリーカード６０を一緒に前方に押入れ、可動蓋３０の右側掛合板３６と左側掛合板３７は共にminiＳＤメモリーカードコネクタ１０の絶縁本体２０の押圧を受け、前記可動蓋３０は定位され、miniＳＤメモリーカード６０の信号接触部６１とminiＳＤメモリーカードコネクタ１０の挿入接続端子４０は良好な電気接続を構成し、携帯電話はデジタルカメラ、ビデオキャプチャリング、ＭＰ３再生、インターネット等のマルチメディア機能を有することができる。
【００４３】
本発明において示す第２実施例は、前記第１実施例と関連するその他の全ての具体的な実施例を含んでおり、検査測定装置を増設したもので、使用時、miniＳＤメモリーカードコネクタ１０にminiＳＤメモリーカード６０が正確に挿入され、また挿入されたminiＳＤメモリーカード６０が正常に使用できる状態にあるかどうかの検査測定に用いられる。
【００４４】
さらに、重複説明を省略するために、第２実施例において使用される構成部品は、全て第１実施例と同一、或いは実質的に同一の構成部品であり、全て第１実施例において使用した符合を引き継いでおり、同一の意義と同一の機能を有する。
【００４５】
図９、１０、１１、１２に示すminiＳＤメモリーカードコネクタ１０は本発明において示すminiＳＤメモリーカードコネクタ１０の第２実施例であり、少なくとも、絶縁本体２０と、引き出し機能を有し、miniＳＤメモリーカード６０を収容する可動蓋３０と、１１本の挿入接続端子４０と、一本の検査測定端子７０とによって構成されており、可動蓋３０にminiＳＤメモリーカード６０を挿入して、一緒に固定位置まで蓋をした後、図１２に示すように、前記miniＳＤメモリーカード６０の信号接触部６１の１１本の信号線は前記絶縁本体２０の１１本の挿入接続端子４０と良好な電気接続を構成する。
【００４６】
第２実施例の各構成部品の詳細な構造は、基本の構造、形状構造、達成可能な機能等の全てにおいて前述の第１実施例、或いは前記第１実施例に関連するその他の具体的実施例を引き継いでおり、そのために、全て第１実施例に示すものと同類であり、前述の内容を参照、引用可能なものであり、以下の詳細な説明においては述べない。
【００４７】
図９、１０、１１に示すように、本発明において示すminiＳＤメモリーカードコネクタ１０の第２実施例は、絶縁本体２０の基板２１の右側前部に切欠口２３が形成されており、さらに前記基盤２１の左側前部にも切欠口２３ａが形成されているが、前記基板２１の左側前部の切欠口２３ａに成形される透かし彫り部分の陥没の深さは右側前部の切欠口２３よりも深く、基板２１にこの種の構造を設ける目的は、前記切欠口２３ａの透かし彫り部分が一本の検査測定端子７０の接脚部７３が外部に突出できるように使用されるためだけではなく、図１２に示すように、可動蓋３０が閉じられた後、可動蓋３０左右両側の引き出し機能を有する逆Ｌ字形の右側折板３２と左側折板３３が前記絶縁本体２０の基板２１のメサにぶつからないようにさせるためでもあり、さらに前記基板２１左右側部の切欠口２３ａと切欠口２３において前後に移動させることができ、即ち、図に示す方向を基準として可動蓋３０を前方に押し入れたり、後方に引き出したりすることができる。
【００４８】
図９、１０に示すように、前記絶縁本体２０の基板２１はメサ上に１１本の溝２２を設け、１１本の挿入接続端子４０を嵌設するだけでなく、前記基板２１のメサ上、即ち前記基板２１のメサの位置の下方が対応する切欠口２３ａであるメサ上には一本の挿入溝２８が設けられており、一本の検査測定端子７０が嵌設されている。
【００４９】
前記検査測定端子７０は湾曲部７１と、電気接触部７２と、接脚部７３とによって構成されており、前記湾曲部７１は検査測定端子７０の前部を構成しており、前記湾曲部７１の中間は上向きに湾曲した隆起状を呈しており、検査測定端子７０の接脚部７３は前記湾曲部７１の前後と一体に接続されており、さらに検査測定端子７０を構成する後部は前記電気接触部７２が直立の板面となっており、前記湾曲部７１前端の横方向の辺縁と接続されており、即ち、湾曲部７１の前端側面から横方向に伸び、さらに上向きに湾曲して直立した板面となっている。
【００５０】
前記検査測定端子７０を絶縁本体２０の基板２１に設けられている挿入溝２８に嵌入した後、前記検査測定端子７０の湾曲部７１の前部は図９に示すように、前記基板２１のメサから突出しており、さらに弾性を有しており、前記検査測定端子７０の接脚部７３は絶縁本体２０の切欠口２３ａ内に突出しており、さらに前記電気接触部７２の直立した板面は挿入溝２８の溝の方向と大体平行になっている。
【００５１】
この他、電気接触部７２の電気接触効果を高めるために、図１１に示すように、前記電気接触部７２の直立する板面上に接触塊７２ａを設けることができ、第２実施例の比較的優れた具体的実施例の１つを構成することができる。
【００５２】
図９、１０に示すように、本発明の第２実施例は絶縁本体２０の左側ベース２４および右側ベース２５の上面にそれぞれ挿設溝２９が設けられており、それぞれ一片の掛合片５５が内部に設けられている。
【００５３】
左側ベース２４に設けられている挿設溝２９内の掛合片５５は検査測定端子７０の電気接触部７２の直立する板面と電気接触を構成するのに用いられており、開閉式miniＳＤメモリーカードコネクタ１０にminiＳＤメモリーカード６０が挿入されているかどうか、また挿入された前記miniＳＤメモリーカード６０が正常に使用できる状態にあるかどうかの検査測定と確認を行う。
【００５４】
しかし、図９、１１に示すように、miniＳＤメモリーカードコネクタ１０の可動蓋３０にminiＳＤメモリーカード６０が挿入されていない時、或いは前記可動蓋３０にminiＳＤメモリーカード６０が挿入されているが、可動蓋３０と挿入されているminiＳＤメモリーカード６０が正常に使用される位置で蓋が閉じられていない時、本発明において示すminiＳＤメモリーカードコネクタ１０の第２実施例は、検査測定端子７０の電気接触部７２と左側ベース２４上面の掛合片５５の間に隙間が存在し、即ち、電気接続状態が構成されておらず、それ故に電気信号は伝達されない。
【００５５】
そのために、上述の検査測定端子７０と掛合片５５間には電気接触が構成されず、miniＳＤメモリーカードコネクタ１０にminiＳＤメモリーカード６０が挿入されていない状態が表示される。
【００５６】
図９、１２に示すように、miniＳＤメモリーカード６０を正確にminiＳＤメモリーカードコネクタ１０の可動蓋３０内に挿入し、前記可動蓋３０と挿入したminiＳＤメモリーカード６０を完全に正確な使用位置において蓋を閉じた時、図１３、１４に示すように、挿入したminiＳＤメモリーカード６０の信号接触部６１は基板２１のメサ上に突出した検査測定端子７０の湾曲部７１を押圧し、前記検査測定端子７０の湾曲部７１は弾性を有するので、下方向に若干圧迫され、検査測定端子７０の電気接触部７２を下向きに移動させ、左側ベース２４上面に設置されている掛合片５５と電気接続を構成する。
【００５７】
そのために、miniＳＤメモリーカードコネクタ１０の検査測定端子７０を利用し、掛合片５５と電気接続が構成される時、電気信号が伝達され、miniＳＤメモリーカードコネクタ１０にminiＳＤメモリーカード６０が正しく挿入されており、挿入されているminiＳＤメモリーカード６０が正常に使用できる状態であると表示される。
【００５８】
この他、左側ベース２４上面に設置されている掛合片５５は、検査測定端子７０の電気接触部７２と構成される優れた電気接触効果を更に高めるために、図１１に示すように、垂直嵌合板５６の板面上、即ち、検査測定端子７０の電気接触部７２と向かい合う板面上に接触塊５６ａを設けることができ、第２実施例の比較的好適な実施例の１つが構成される。
【００５９】
本発明のminiＳＤメモリーカードコネクタ１０の第２実施例を使用する時、先ず、挿入接続端子４０の後部接脚部４２と、検査測定端子７０の後部の接脚部７３と、絶縁本体２０の左右両側に設置されている掛合片５５とを電気回路板上に半田固定し、miniＳＤメモリーカードコネクタ１０を固定する以外に、検査測定端子７０と掛合片５５を電気回路板の回路に経由させ、検査測定回路を構成する。
【００６０】
そのために、本発明のminiＳＤメモリーカードコネクタ１０の第２実施例は第１実施例の有する全ての機能と効果を有する他、miniＳＤメモリーカード６０が挿入されたかどうか、また挿入されたminiＳＤメモリーカード６０が正常に使用できる状態であるかどうかの検査測定と確認を行う機能を有している。携帯電話に使用する時、携帯電話はマルチメディア機能を有するだけでなく、miniＳＤメモリーカード６０を検査測定する機能を有する。
【図面の簡単な説明】
【００６１】
【図１】新しいデザインのｍｉｎｉＳＤメモリーカードの構造図である。
【図２】本発明のｍｉｎｉＳＤメモリーカードコネクタの第１実施例であり、可動蓋が開けられた状態を示す図である。
【図３】本発明のｍｉｎｉＳＤメモリーカードコネクタの第１実施例における、分解図である。
【図４】図３に示す可動蓋の縦方向の断面図であり、前記可動蓋が引き出し式の空間を有し、右側折板が一枚の圧板を有し、前記右側折板に向かっている内部空間が上向きにやや湾曲していることを示している。
【図５】本発明のｍｉｎｉＳＤメモリーカードを正確に可動蓋内に挿入した後、下向きに閉じようとしている状態を示す図である。
【図６】図５における中間過程を示す図である。
【図７】図５における下向きに閉じる動作が完了し、可動蓋とｍｉｎｉＳＤメモリーカードを共に前に押入れ、前記可動蓋が絶縁本体の押圧を受け、定位効果が生成される様子を示す図である。
【図８】図７における可動蓋が絶縁本体の押圧を受け、定位効果が生成され、ｍｉｎｉＳＤメモリーカードと信号接触部とｍｉｎｉＳＤメモリーカードコネクタとが電気接続される様子を示す図である。
【図９】ｍｉｎｉＳＤメモリーカード第２実施例の全体構成、および使用状態を示す図である。
【図１０】本発明のｍｉｎｉＳＤメモリーカードコネクタの第２実施例における分解図である。
【図１１】図９の１１−１１部分における断面構造拡大図である。
【図１２】図９における下向きに閉じる動作が完了し、可動蓋とｍｉｎｉＳＤメモリーカードを共に正確な使用位置にまで前に押入れた様子を示す図である。
【図１３】図１２の１３−１３部分における断面構造拡大図であり、ｍｉｎｉＳＤメモリーカードの信号接触部が検査測定端子の湾曲部を押圧し、検査測定端子の電気接触部と掛合片とが電気接続される様子を示す図である。
【図１４】図１２の１４−１４部分における断面構造拡大図であり、検査測定端子の電気接触部と掛合片とが電気接続されている状態を示す図である。
【符号の説明】
【００６２】
１０      miniＳＤメモリーカードコネクタ
２０      絶縁本体
２１      基板
２２      溝
２３      切欠口
２４      左側ベース
２４ａ    舌板
２４ｂ    鼻状突起
２４ｃ    挿設溝
２５      右側ベース
２５ａ    舌板
２５ｂ    鼻状突起
２５ｃ    挿設溝
２６      中間ベース
２７      軸棒
２８      挿入溝
２９      挿設溝
３０      可動蓋
３１      蓋板
３２      右側折板
３２ａ    内部空間
３２ｂ    圧板
３３      左側折板
３３ａ    内部空間
３４      右側ストッパー板
３５      左側ストッパー板
３６      右側掛合板
３６ａ    突起
３７      左側掛合板
３８      掛合部
３８ａ    掛合空間
４０      挿入接続端子
４１      湾曲部分
４２      接脚部
５０      掛合片
５５      掛合片
５６      垂直嵌合板
５６ａ    接触塊
６０      miniＳＤメモリーカード
６１      信号接触部
６２      楔形面
６３      ガイドレール
７０      検査測定端子
７１      湾曲部
７２      電気接触部
７２ａ    接触塊
７３      接脚部
【図１】
2005209611.tif 000003
【図２】
2005209611.tif 000004
【図３】
2005209611.tif 000005
【図４】
2005209611.tif 000006
【図５】
2005209611.tif 000007
【図６】
2005209611.tif 000008
【図７】
2005209611.tif 000009
【図８】
2005209611.tif 000010
【図９】
2005209611.tif 000011
【図１０】
2005209611.tif 000012
【図１１】
2005209611.tif 000013
【図１２】
2005209611.tif 000014
【図１３】
2005209611.tif 000015
【図１４】
2005209611.tif 000016